(57)【要約】【課題】スライド形式の携帯端末において、スライド時のホールド性をよくした携帯端末を提供する。【解決手段】本体２と、本体２に対してスライド可能な蓋体１とを有する携帯端末１００において、指の形に合わせて形成された陥没部２６が本体２の上面と裏面２２との境界に斜めに設けられ、蓋体１をスライドさせるためのスライド用スイッチ２７が陥没部２６内に設けられている。また、解除手段２７と、蓋体１（第１の筐体）の裏面１２とが対向する位置に、ユーザの爪部４０の引っ掛りを防止する引っ掛り防止溝部４８が設けられている。【選択図】図１
2009060572.tif 000002
【特許請求の範囲】
【請求項１】
第１の筐体と第２の筐体とを有し、当該第１の筐体が前記第２の筐体に対してスライド
可能に結合させるスライド機構を備える携帯端末であって、
前記第１の筐体が前記第２の筐体に対してスライドするいずれかの方向の前記第２の筐
体の側面を上面とし、前記第２の筐体の前記第１の筐体と結合された面を表面とし、前記
表面の反対面を裏面とした場合に、
前記スライド機構は、前記表面か該表面に対向する前記第１の筐体の面とのいずれかが
他方の筐体によってほぼ覆われた状態である閉状態になるように前記第１の筐体と前記第
２の筐体とをロックするロック機構を有し、
前記ロック機構は、ロックを解除する解除手段を有する
ことを特徴とする携帯端末。
【請求項２】
前記解除手段は、前記第２の筐体の前記上面に、設けられている
ことを特徴とする請求項１に記載の携帯端末。
【請求項３】
前記解除手段は、前記第２の筐体の前記上面と前記裏面との境界線上に、設けられてい
る
ことを特徴とする請求項１に記載の携帯端末。
【請求項４】
前記解除手段は、前記第２の筐体の前記上面と前記裏面との境界線の中心部よりも端部
に近い位置に設けられている
ことを特徴とする請求項１に記載の携帯端末。
【請求項５】
前記解除手段は、前記第２の筐体の前記上面または、前記上面と前記裏面との境界線上
に、少なくとも２つ設けられている
ことを特徴とする請求項２から４のいずれか一項に記載の携帯端末。
【請求項６】
前記解除手段は、前記第２の筐体の前記上面と前記裏面との境界線上に人間の指の形に
合わせて設けられた陥没部内に設けられている
ことを特徴とする請求項１から５のいずれか一項に記載の携帯端末。
【請求項７】
前記解除手段と、前記第１の筐体の裏面とが対向する位置に、
ユーザの爪部の引っ掛りを防止する引っ掛り防止溝部が設けられている
ことを特徴とする請求項１から６のいずれか一項に記載の携帯端末。
【請求項８】
記憶部と、
制御部とを有し、
前記記憶部は、携帯端末の正当なユーザの指紋を記憶する指紋データベースをさらに有
し、
前記解除手段は、指紋を検出する指紋検出手段を有する、人間の指によって押下される
スイッチであり、
前記制御部は、前記解除手段が人間の指により押下された時に、前記指紋データベース
に記憶された指紋を使用して、前記指紋検出手段が検出した指紋が正当なユーザのもので
あるか否かを判定し、前記指紋検出手段が検出した指紋が正当なユーザのものであった場
合に、前記ロック機構のロックを解除する
ことを特徴とする請求項１から７のいずれか一項に記載の携帯端末。
【発明の詳細な説明】
【技術分野】
【０００１】
本発明は、スライド形式の携帯端末に関する。
【背景技術】
【０００２】
近年、様々な形式の携帯端末が登場している。
【０００３】
携帯端末の形式としては、例えば、可動部を有さないストレート型、中心部で２つに折
りたたむことができる折り畳み型、２つの筐体によって構成され使用時には片方をスライ
ドさせて使用するスライド型などが存在する。
【０００４】
スライド型の携帯端末は、例えば液晶ディスプレイ（ＬＣＤ：Liquid Crystal Display
）や有機ＥＬ（Electro Luminescence）等の表示デバイスを有する蓋体と、ＣＰＵ等の制
御デバイス及びテンキー等のキー操作部を有する本体とを有し、閉じた状態では本体のキ
ー操作部が蓋体に覆われる構成となっているが、開いた状態ではキー操作部が露出するよ
うに蓋体が本体に対してスライド可能に構成されている。
【０００５】
特に、蓋体と本体とをスライド可能に構成するスライド機構にばね等の弾性部材と、蓋
体と本体とを閉じた状態或いは開いた状態にロックするロック部と、ロックを解除する解
除手段とを設けることによって、ユーザが蓋体と本体とを手動で開閉せずとも、解除手段
を操作するだけで自動的に蓋体と本体とをスライドさせ開閉を行うことができる。このよ
うな技術は、特許文献１に開示されている。
【特許文献１】特開２００６−７４４４４号公報
【発明の開示】
【発明が解決しようとする課題】
【０００６】
しかし、従来のスライド型の携帯端末では、携帯端末を両手で保持しない場合には、蓋
体を本体に対してスライドさせる際のホールド性が悪く、片手ではしっかりと保持しつつ
スライドさせることが困難である、という不利益があった。
【０００７】
また、特許文献１に開示された技術では、解除手段の操作によりロック部のロックが解
除され、弾性部材により蓋体と本体とのスライドが実行される際に、弾性部材によりユー
ザの予期しない反動が生じ、ユーザが携帯端末を取り落としてしまう恐れがある、という
不利益があった。
【０００８】
本発明は上記した不利益を解消するためになされたものであり、スライド形式の携帯端
末において、スライド時のホールド性をよくした携帯端末を提供することを目的とする。
【課題を解決するための手段】
【０００９】
上記した課題を解決するために、本発明の携帯端末は、第１の筐体と第２の筐体とを有
し、当該第１の筐体が前記第２の筐体に対してスライド可能に結合させるスライド機構を
備える携帯端末であって、前記第１の筐体が前記第２の筐体に対してスライドするいずれ
かの方向の前記第２の筐体の側面を上面とし、前記第２の筐体の前記第１の筐体と結合さ
れた面を表面とし、前記表面の反対面を裏面とした場合に、前記スライド機構は、前記表
面か該表面に対向する前記第１の筐体の面とのいずれかが他方の筐体によってほぼ覆われ
た状態である閉状態になるように前記第１の筐体と前記第２の筐体とをロックするロック
機構を有し、前記ロック機構は、ロックを解除する解除手段を有する。
【００１０】
好適には、前記解除手段は、前記第２の筐体の前記上面に、設けられている。
【００１１】
好適には、前記解除手段は、前記第２の筐体の前記上面と前記裏面との境界線上に、設
けられている。
【００１２】
好適には、前記解除手段は、前記第２の筐体の前記上面と前記裏面との境界線の中心部
よりも端部に近い位置に設けられている。
【００１３】
好適には、前記解除手段は、前記第２の筐体の前記上面または、前記上面と前記裏面と
の境界線上に、少なくとも２つ設けられている。
【００１４】
好適には、前記解除手段は、前記第２の筐体の前記上面と前記裏面との境界線上に人間
の指の形に合わせて設けられた陥没部内に設けられている。
【００１５】
好適には、前記解除手段と、前記第１の筐体の裏面とが対向する位置に、ユーザの爪部の引っ掛りを防止する引っ掛り防止溝部が設けられている。
【００１６】
好適には、記憶部と、制御部とを有し、前記記憶部は、携帯端末の正当なユーザの指紋
を記憶する指紋データベースをさらに有し、前記解除手段は、指紋を検出する指紋検出手
段を有する、人間の指によって押下されるスイッチであり、前記制御部は、前記解除手段
が人間の指により押下された時に、前記指紋データベースに記憶された指紋を使用して、
前記指紋検出手段が検出した指紋が正当なユーザのものであるか否かを判定し、前記指紋
検出手段が検出した指紋が正当なユーザのものであった場合に、前記ロック機構のロック
を解除する。
【発明の効果】
【００１７】
本発明によれば、スライド形式の携帯端末において、スライド時のホールド性をよくし
た携帯端末を提供することができる。
【発明を実施するための最良の形態】
【００１８】
以下、本発明の携帯端末の一例として、携帯端末１００について説明する。
【００１９】
本第１実施形態の携帯端末１００は、例えば携帯電話機である。
【００２０】
図１は、第１実施形態の携帯端末１００の外部構成の一例を示す斜視分解図である。
【００２１】
図１に示すように、第１実施形態の携帯端末１００は、蓋体１と、本体２とを有する。
【００２２】
なお、図１は蓋体１と本体２とを分離した状態を示した図であり、本実施形態の携帯端
末１００は、実際には後述する図５及び図６において説明するように、蓋体１と本体２と
が結合されて構成される。
【００２３】
図１（ａ）は、携帯端末１００の蓋体１の斜視図である。
【００２４】
蓋体１は、図１（ａ）に示すように、ある程度の厚みを有する板状の構成であり、表面
１１と裏面１２との２面と、その間の側面１３とからなる。
【００２５】
蓋体１は、図１（ａ）に示すように、ＬＣＤ１４、キー操作部１５、ガイド部材１６を
有する。
【００２６】
ＬＣＤ１４は、携帯端末１００の各種動作時（例えば、音声通話時、メール送受信時、
ウェブブラウジング時等）に各種表示を行うための表示デバイスであり、液晶ディスプレ
イにより構成される。本実施形態では、ＬＣＤ１４は、表面１１に配設されている。なお
、本実施形態では表示デバイスの一例としてＬＣＤ１４を使用しているが、本発明はこれ
には限定されず、例えば有機ＥＬディスプレイであってもよい。
【００２７】
キー操作部１５は、十字キー、決定キー、ソフトキー等の各種キーやボタン類によって
構成される操作入力デバイスであり、蓋体１の表面、すなわちＬＣＤ１４と同一面内に配
設される。また、図１（ａ）においては図示を省略しているが、キー操作部１５は、蓋体
１の側面１３に配設されていてもよい。キー操作部１５は、携帯端末１００に対するユー
ザの各種操作入力を受け付ける。
【００２８】
ガイド部材１６は、後述する本体２の溝部２８にかみ合い、溝部２８に沿って蓋体１を
スライド可能にするためのガイドであり、ガイド部材及び溝部２８により蓋体１と本体２
とが結合される。
【００２９】
図２は、蓋体１を裏面１２から見た図である。
【００３０】
図２に示すように、ガイド部材１６は蓋体１の内側に向けて折れ曲がった部位を有し、
この折れ曲がった部位が後述する本体２の溝部２８とかみ合うことになる。
【００３１】
また、蓋体１の裏面１２には、２個の孔１７が開けられており、後述するピン２４がこ
の孔１７に挿入されることにより、蓋体１と本体２とが結合される。
【００３２】
次に、本体２について説明する。
【００３３】
図１（ｂ）は、本体２の斜視図である。
【００３４】
本体２は、携帯端末１００の主操作部を有し、携帯端末１００全体の制御を行うＣＰＵ
等の制御ユニットを内包する。
【００３５】
本体２は、図１（ｂ）に示すように、表面２１、裏面２２及び側面２３から構成される
、所定の厚みを有する板状の構成である。
【００３６】
本体２は、図１（ｂ）に示すように、ピン２４、スリット２５、陥没部２６、スライド
用スイッチ２７、溝部２８、主操作部２９を有する。
【００３７】
ピン２４は、後述するスライド機構３と蓋体１とを結合するためのピンであり、スリッ
ト２５内をスリット２５に沿って移動可能なように構成され、蓋体１と結合可能なように
突出している。ピン２４の先端は蓋体１の裏面１２の孔１７と結合され、ピン２４がスリ
ット２５内を移動することにより蓋体１の本体２に対するスライドを可能にしている。
【００３８】
ピン２４は、本実施形態においては、図１に示すように２組設けられている。
【００３９】
スリット２５は、蓋体１に結合されたピン２４の移動可能な範囲に空けられたガイド用
の穴である。
【００４０】
スリット２５は、本実施形態においては、図１に示すように２組設けられている。
【００４１】
陥没部２６は、本体２の側面２３が所定の範囲で陥没した部位である。陥没部２６の大
きさは、例えばユーザが指先を好適に入れることができる程度の大きさに形成されている
。
【００４２】
陥没部２６の形成例を図３に示す。
【００４３】
図３（ａ）は、陥没部２６を俯瞰するように裏面２２側から本体２を見た様子を示す図
である。
【００４４】
図３（ａ）に示すように、陥没部２６は、側面２３の上面２３１（蓋体１がスライドす
る方向の側面）と裏面２２との境界線上に、ユーザが指先を好適に入れることができる程
度の大きさに設けられた孔部である。陥没部２６は、人間の指の形に合わせて形成され、
ユーザが陥没部に好適に指を入れることができるようになっている。
【００４５】
また、陥没部２６は、本体２の左右方向（図３（ａ）におけるＡ方向）に２つ形成され
ている。ここで、陥没部２６は、本体２の側面２３の上面２３１と裏面２２との境界線上
における中心部よりも端部に近い位置に形成されている。
【００４６】
図３（ｂ）は、陥没部２６の断面図である。
【００４７】
図３（ｂ）は、陥没部２６の中心線に沿って、図３（ａ）における垂直方向に陥没部２
６を切断した場合の断面図である。
【００４８】
図３（ｂ）に示すように、陥没部２６は本体２に対して斜めになるように穿たれている
。また、図３（ｂ）に示すように、ユーザの指の腹に合わせた曲面を描いており、ユーザ
が好適に指を陥没部２６に入れられるようになっている。
【００４９】
陥没部２６のほぼ中心部にはスライド用スイッチ２７が配設されている。スライド用ス
イッチ２７は、後述するスライド機構３を発動させ、本体２に対して蓋体１をスライドさ
せるためのスイッチである。スライド用スイッチ２７が、本体２に対して斜めに形成され
た陥没部２６内に配設されていることにより、ユーザは蓋体をスライドさせる際に、陥没
部２６に１本だけ指（例えば人差し指）を入れ、他の指によって本体を保持することがで
きる。これにより、後述するスライド機構３が発動した際の弾性部材による反動がかかる
方向にユーザの指がかかっていることになる（陥没部２６に指が入れられている）ため、
ユーザがスライド時の反動により携帯端末１００を取り落としてしまうような事態を防止
することができ、ホールド性を上昇させることができる。
【００５０】
なお、本実施形態では、図１に示すように、スライド用スイッチ２７をボタン状のスイ
ッチとしたが、本発明はこれには限定されない。すなわち、例えばタッチセンサ等として
もよい。
【００５１】
溝部２８は、上述した蓋体１のガイド部材１６とかみ合っており、ガイド部材１６が溝
部２８に沿って移動することにより蓋体１が本体２に対してスライドする。
【００５２】
主操作部２９は、テンキー等の操作入力デバイスであり、携帯端末１００の種々の機能
を実行するために操作される。主操作部２９は、携帯端末１００の閉じた状態、すなわち
蓋体１が本体２とほぼ完全に重なっている状態では、蓋体１に覆われ操作不可能となって
いる。
【００５３】
スライド機構３について説明する。
【００５４】
本体２は、その内部に図４に示すスライド機構３を有する。
【００５５】
図４は、スライド機構３の構成の一例を示した斜視図である。
【００５６】
スライド機構３は、図４（ａ）に示すように、可動部３１、ガイド孔３２、弾性材３３
、ロック機構３４を有する。
【００５７】
可動部３１は、後述するガイド孔３２に沿って移動可能に構成されており、上述したピ
ン２４が配設されている。可動部３１がガイド孔３２に沿って移動することにより、ピン
２４がスリット２５に沿って移動し、ピン２４と孔１７において結合された蓋体１が本体
２に対してスライドすることになる。
【００５８】
ガイド孔３２は、可動部３１の移動方向を規定する孔部であり、本体２のスリット２５
に平行に、スライド機構３の長手方向に空けられている。
【００５９】
弾性材３３は、可動部３１に対して弾性作用を生じさせるためのばね等の弾性部材であ
る。弾性材３３は、図４（ａ）に示すＢ方向に収縮する弾性力を可動部３１に与える。こ
れにより、可動部３１は、後述するロック機構３４によりロックされていない場合には、
図４（ａ）に示すＢ方向に移動しようとし、従って、可動部３１と連動する蓋体１は本体
に対して開かれた状態（後述する図６に示す状態）となろうとする。
【００６０】
ロック機構３４は、可動部３１を図４（ｂ）に示す位置に固定するための仕組みである
。すなわち、可動部３１がロック機構３４により図４（ｂ）に示す位置にロックされてい
る際には、可動部３１と連動する蓋体１は、本体２にほぼ完全に重なり、携帯端末１００
が閉じた状態（後述する図５に示す状態）に固定される。
【００６１】
例えば、ユーザが手によって携帯端末１００が閉じた状態となるまで蓋体１を動かすこ
とによってロック機構３４が働き、ロック機構３４は可動部３１を図４（ｂ）に示す位置
にロックする。ロック機構３４によりロックがなされた状態においてスライド機構３のＢ
方向端部に配設されたスライド用スイッチ２７が押下されることにより、ロック機構３４
のロックが解除され、可動部３１は弾性材３３の収縮力によって、図４（ｃ）に示す状態
となるまでＢ方向に移動する。図４（ｃ）に示す状態では、可動部３１はガイド孔３２の
Ｂ方向の端まで完全に移動し、可動部３１に連動する蓋体１が本体２に対して開かれた状
態となる。
【００６２】
上述したスライド機構３においては、図４に示すように、可動部３１に１本のピン２４
が設けられている。すなわち、本体２は、図４に示したスライド機構３を２つ内包してお
り、図１に示すように、２つのスリット２５からピン２４が露出するように構成される。
【００６３】
ただし、本実施形態では一例として、本体２がスライド機構３を２組内包し、ピン２４
、スリット２５、孔１７がそれぞれ２組存在する構成について説明したが、本発明はこれ
には限定されない。本発明の携帯端末は、１つ、或いは３つ以上のスライド機構及び、ピ
ン、スリット、孔を有していてもよい。
【００６４】
なお、本発明では、弾性材３３の詳細や、ロック機構３４の仕組みについては限定しな
い。これらに対しては既存の技術を利用することが可能である。
【００６５】
次に、蓋体１と本体２とが結合された状態における、携帯端末１００の開かれた状態及
び閉じた状態について説明する。
【００６６】
図５は、携帯端末１００の閉じた状態（以下閉状態）を示した図である。
【００６７】
図５に示すように、例えばユーザの手によって蓋体１が動かされることにより、ガイド
部材１６が溝部２８のストロークエンドまで押し込まれ、蓋体１が本体２に対してほぼ完
全に重なり、携帯端末１００が閉状態となる。完全にガイド部材１６が溝部２８のストロ
ークエンドまで押し込まれた場合は、ロック機構３４が可動部３１及び、可動部３１に連
動する蓋体１をロックするため、一度図５に示す状態となった後は、スライド用スイッチ
２７が押下されるまで閉じた状態が保たれる。
【００６８】
閉状態においては、携帯端末１００の主要な機能を使用するための主操作部２９が露出
していないために、携帯端末１００の一部機能が使用できないようになっている。
【００６９】
図６は、携帯端末１００の開いた状態（以下開状態）を示した図である。
【００７０】
図５に示した携帯端末１００の閉状態において、ユーザの指が陥没部２６のいずれかに
当てられ、スライド用スイッチ２７が押下されることにより、スライド機構３のロック機
構３４のロックが解除され、可動部３１に連動する蓋体１が溝部２８に沿って移動し、最
終的に図６に示した開状態となる。開状態においては、携帯端末１００の主要な機能を使
用するための主操作部２９が露出した状態となり、ユーザは携帯端末１００の各種機能を
利用することができる。
【００７１】
次に、閉状態から開状態へのユーザの操作について具体的に説明する。
【００７２】
図７は、携帯端末１００を閉状態から開状態へと遷移させるための操作の一例を示す図
である。
【００７３】
図７（ａ）及び（ｂ）は、ユーザの指４による携帯端末１００の閉状態から開状態への
操作を本体２の裏面２２側から見た図である。
【００７４】
図７（ａ）に示すように、ユーザの指（本実施形態では、一例として人差し指であると
する）４が陥没部２６に入れられ、陥没部２６内のスライド用スイッチ２７が押下される
。これにより、スライド機構３のロック機構３４のロックが解除され、図７（ｂ）に示す
ように、蓋体１が移動し携帯端末１００が開かれた状態となる。
【００７５】
図７（ｃ）及び（ｄ）は、陥没部２６の中心線に沿って、図７（ａ）及び（ｂ）におけ
る垂直な方向に切断した場合の断面図である。
【００７６】
図７（ｃ）は、携帯端末１００が閉じた状態において、ユーザの指４が陥没部２６に入
れられた様子を示しており、図７（ｄ）は、その結果、蓋体１がスライド機構３によりス
ライドした様子を示している。
【００７７】
図７（ｄ）に示すように、本実施形態の携帯端末１００では、陥没部２６が本体２の上
面と裏面２２との境界に斜めに設けられ、スライド用スイッチ２７が陥没部２６内に設け
られており、ユーザの指４の先が陥没部２６の中に入れられているため、携帯端末１００
が閉状態から開状態へスライドする際には、ユーザの指４が蓋体１のスライドを妨げない
ようになっている。
【００７８】
さらに、本実施形態の携帯端末１００では、図７（ｅ）に示すように、蓋体１が弾性材
３３によりスライドする際には、スライドする方向（図７（ｅ）における上方向）に対し
て反動が働くが、ユーザの指４が本体２の上面と裏面２２との境界に斜めに設けられた陥
没部２６に入れられているために、ユーザの指４によって反動が抑えられ、ユーザは携帯
端末１００を好適にホールドすることができるようになる。図７（ｅ）は、ユーザが右手
でスライド用スイッチ２７を操作している様子を示した斜視図である。
【００７９】
以上説明したように、本第１実施形態の携帯端末１００によれば、指の形に合わせて形
成された陥没部２６が本体２の上面と裏面２２との境界に斜めに設けられ、蓋体１をスラ
イドさせるためのスライド用スイッチ２７が陥没部２６内に設けられている。このため、
ユーザが携帯端末１００を閉状態から開状態へと変化させようとする場合に、図７（ｄ）
に示すように、ユーザの指がスライドする蓋体１のスライド動作を妨げず、好適なスライ
ド動作を行うことが可能である。また、蓋体１のスライド時にはスライド機構３の弾性材
３３により本体２の上面２３１方向への反動が生じるが、スライド時にはユーザの指が本
体２の上面２３１と裏面２２との境界線上に斜めに設けられた陥没部２６に入れられてい
るため、この指によって自然に反動が抑えられるため、スライド時の携帯端末１００のホ
ールド性が向上する。
【００８０】
さらに、陥没部２６は、陥没部２６は、本体２の側面２３の上面２３１と裏面２２との
境界線上における中心部よりも端部に近い位置に２つ形成されているため、図７（ｅ）及
び図７（ｆ）に示すように、ユーザが右手でスライド用スイッチ２７を操作する場合でも
、左手で操作する場合でも、好適に操作を行うことができる。図７（ｆ）は、ユーザが左
手でスライド用スイッチ２７を操作している様子を示した斜視図である。
【００８１】
次に、図１２は、第１実施形態の変形例であって、携帯端末１０２を閉状態から開状態へと遷移させる際の、携帯端末１０２とユーザの爪部との位置関係の一例を示す図である。図１２の解除手段２７と、第１の筐体の裏面１２とが対向する位置に、ユーザの爪部４０の引っ掛りを防止する引っ掛り防止溝部４８が設けられている。
【００８２】
図１２（ａ）は携帯端末１０２の閉状態を表す斜視図であって、ユーザの爪部４０の引っ掛り防止用の溝部４８が備えられている。
【００８３】
図１２（ｂ）は携帯端末１０２の側面図であって、符号１３は側面、符号１２は蓋体１の裏面、点線部は引っ掛り防止溝部４８の底部を表わす。携帯端末１０２では、携帯端末１００と基本構成は同様である。図１２（ｃ）に示したように、蓋体１（第１の筐体）が弾性材３３によりスライドする際には、スライドする方向（図１２（ｃ）における上方向）に対して反動が働くが、ユーザの指４が本体２（第２の筐体）の上面と本体２（第２の筐体）の裏面２２との境界に斜めに設けられた陥没部２６に入れられているために、ユーザの指４によって反動が抑えられ、ユーザは携帯端末１０２を好適にホールドすることができるようになる。
【００８４】
図１２（ｃ）は、右手の人差し指の爪部４０が比較的長いユーザがスライド用スイッチ２７を操作している様子を示した斜視図である。引っ掛り防止溝部により爪部が比較的長いユーザであってもスライド用スイッチ２７を容易に、かつ安全に携帯端末１０２を操作することが可能となる。
【００８５】
なお、本実施形態においては、陥没部２６の数を２つであるとしたが、本発明はこれに
は限定されず陥没部の数は何個でもよい。また、その位置も上述した位置には限定されな
い。
【００８６】
＜第２実施形態＞
本第２実施形態における携帯端末１０１について説明する。
【００８７】
図８に第２実施形態における携帯端末１０１の外部構成の一例を示す。
【００８８】
図８に示すように、第２実施形態の携帯端末１０１は、スライド用スイッチ２７ａが指
紋検出機能を有する点を除いて、第１実施形態の携帯端末１００とほぼ同様の外部構成を
有する。
【００８９】
したがって、本第２実施形態での携帯端末１０１のスライド用スイッチ２７ａ以外の各
外部構成については、第１実施形態と同様であるため、説明を省略する。
【００９０】
スライド用スイッチ２７ａは、第１実施形態のスライド用スイッチと同様、陥没部２６
のほぼ中心部に配設されている。スライド用スイッチ２７ａは、後述するスライド機構３
ａを発動させ、本体２に対して蓋体１をスライドさせるためのスイッチである。
【００９１】
また、スライド用スイッチ２７ａは、ユーザの指が触れる部位に指紋を検出する指紋検
出手段２７ａ１を有し、接触した指から指紋を検出することができる。検出された指紋は
、後述する制御部９の指紋認証処理に使用される。
【００９２】
次に、第２実施形態の携帯端末１００の本体２に内包されるスライド機構３ａについて
説明する。
【００９３】
図９は、第２実施形態のスライド機構３ａの構成の一例を示す図である。
【００９４】
本第２実施形態のスライド機構３ａの構成は、図９に示すように、図４において説明し
た第１実施形態のスライド機構３のロック機構３４と若干異なる動作を実行するロック機
構３４ａを有する点と、スライド用スイッチ２７ａが指紋検出手段２７ａ１を有する点を
除いて、図４において説明した第１実施形態のスライド機構３と同様の構成を有する。し
たがって、本第２実施形態では、ロック機構３４ａ以外のスライド機構３ａの構成の説明
を省略する。
【００９５】
本第２実施形態のスライド機構３ａにおけるロック機構３４ａについて説明する。
【００９６】
ロック機構３４ａは、第１実施形態のロック機構３４と同様、可動部３１を図９（ｂ）
に示す位置に固定するための仕組みである。すなわち、可動部３１がロック機構３４によ
り図９（ｂ）に示す位置にロックされている際には、可動部３１と連動する蓋体１は、本
体２にほぼ完全に重なり、携帯端末１００が閉じた状態（図５に示す状態）に固定される
。
【００９７】
例えば、ユーザが手によって携帯端末１０１が閉じた状態となるまで蓋体１を動かすこ
とによってロック機構３４ａが働き、ロック機構３４ａは可動部３１を図９（ｂ）に示す
位置にロックする。ロック機構３４ａによりロックがなされた状態において所定の操作が
なされることにより、ロック機構３４ａのロックが解除され、可動部３１は弾性材３３の
収縮力によって、図９（ｃ）に示す状態となるまでＢ方向に移動する。図９（ｃ）に示す
状態では、可動部３１はガイド孔３２のＢ方向の端まで完全に移動し、可動部３１に連動
する蓋体１が本体２に対して開かれた状態となる。
【００９８】
ここで、本第２実施形態のロック機構３４ａは、ロックを解除するための所定の操作が
第１実施形態のロック機構３４と異なっている。第１実施形態のロック機構３４は、スラ
イド用スイッチ２７が押下されることによりロックを解除したが、本第２実施形態のロッ
ク機構３４ａは、指紋検出手段２７ａ１が検出した指紋を後述する制御部９が使用して指
紋認証を行い、その指紋が正規ユーザ（携帯端末１０１の正当な持ち主）であると認証さ
れた場合にロックを解除するように構成されている。すなわち、指紋検出手段２７ａ１が
検出した指紋が制御部９によって認証されなかった場合は、例えスライド用スイッチ２７
ａが押下されたとしても、制御部９はロック機構３４ａのロックを解除しない。
【００９９】
以下、携帯端末１０１の内部構成について説明する。
【０１００】
図１０は、携帯端末１０１の内部構成の一例を示すブロック図である。
【０１０１】
図１０に示すように、携帯端末１０１は、通信部５、表示部６、記憶部７、入力部８、
制御部９を有する。
【０１０２】
通信部５は、図１０に図示しない基地局と無線通信を行い、公衆通信ネットワークに接
続されたサーバ装置と各種データの送受信を行う。各種データとは、例えば、携帯端末１
０１の音声通話時の音声データやメール送受信時のメールデータ、動画データや音楽デー
タ等である。通信部５が送受信するこれらのデータは、後述する記憶部７に記憶されたり
、制御部９により所定の処理に使用されたりする。
【０１０３】
表示部６は、例えば液晶ディスプレイ（ＬＣＤ：Liquid Crystal Display）や有機ＥＬ
（Electro Luminescence）パネル等により構成された表示デバイスであり、図８に示すＬ
ＣＤ１４に対応している。表示部６は、携帯端末１０１の各種動作に応じた表示を行う。
例えば、音声発着信時に発着信先を表示したり、メール送受信時にメール送信画面や着信
画面を表示したり、待ち受け画面を表示したり、電波状況や電池バー等を示すピクト類を
表示したりする。
【０１０４】
記憶部７は、携帯端末１０１の各動作に使用される各種データを記憶する。各種データ
とは、例えば、音声発着信やメール送受信時に使用するアドレス帳データ、通信部５が基
地局と無線通信を行い、公衆通信ネットワークを介してサーバ装置から受信したメールデ
ータ、音声データ、画像データ、動画データ、また携帯端末１０１上で動作するアプリケ
ーション等のプログラムや動作に必要なデータの類である。
【０１０５】
また、記憶部７は指紋ＤＢ（データベース）７１を有する。指紋ＤＢ７１には、後述す
る制御部９が指紋検出手段２７ａ１の検出した指紋を使用して指紋認証を行うための指紋
データが記憶されている。指紋ＤＢ７１に記憶される指紋データは、例えばユーザの指紋
であり、例えばユーザが携帯端末１０１の購入時等に自らの指紋を指紋ＤＢ７１に登録す
ることにより、制御部９が指紋認証処理を実行することが可能になる。
【０１０６】
入力部８は、携帯端末１０１の各種動作時のユーザの入力を受け付ける入力デバイスで
あり、テンキーやボタン、スイッチ等により構成される。すなわち、図８におけるキー操
作部１５及び主操作部２９に対応している。
【０１０７】
制御部９は、携帯端末１０１の動作を統括的に制御する。すなわち、携帯端末１０１の
各種動作時に携帯端末１０１の各構成を制御してその動作を行わせる処理を実行する。各
種動作とは、例えば、音声通話、メール送受信、アプリケーション（例えば音楽プレーヤ
やゲーム等）実行等である。
【０１０８】
また、制御部９は、指紋検出手段２７ａ１が検出した指紋を使用して指紋認証処理を行
う。
【０１０９】
以下、制御部９の指紋認証処理について説明する。
【０１１０】
図１１は、制御部９の指紋認証処理について説明するためのフローチャートである。
【０１１１】
図１１に示すフローチャートは、携帯端末１０１の閉状態において、スライド用スイッ
チ２７ａが押下された場合の処理を示している。
【０１１２】
ステップＳＴ１：
指紋検出手段２７ａ１は、スライド用スイッチ２７ａを押下した指に対して、指紋の検
出を実行する。
【０１１３】
ステップＳＴ２：
制御部９は、指紋検出手段２７ａ１が検出した指紋と、記憶部７の指紋ＤＢ７１に記憶
された指紋とを照合を行う。
【０１１４】
ステップＳＴ３：
制御部９は、ステップＳＴ２における照合の結果、指紋検出手段２７ａ１が検出した指
紋と、指紋ＤＢ７１に記憶された指紋とが一致した場合には、ステップＳＴ４に進み、一
致しなかった場合には、ステップＳＴ５に進む。
【０１１５】
ステップＳＴ４：
制御部９は、指紋検出手段２７ａ１が検出した指紋と指紋ＤＢ７１に記憶された指紋と
が一致した場合は、スライド用スイッチ２７ａを押下した指の持ち主を正規のユーザであ
ると認証し、スライド機構３ａのロック機構３４ａのロックを解除する。これにより、蓋
体１が本体２に対してスライドし、携帯端末１０１は閉状態から開状態へと遷移する。
【０１１６】
ステップＳＴ５：
制御部９は、指紋検出手段２７ａ１が検出した指紋と指紋ＤＢ７１に記憶された指紋と
が一致しなかった場合は、スライド用スイッチ２７ａを押下した指の持ち主は正規のユー
ザではないと判断し、スライド機構３ａのロック機構３４ａのロックを解除せずロックし
たままとする。従って、携帯端末１０１は閉状態のままである。
【０１１７】
以上説明したように、本実施形態の携帯端末１０１によれば、閉状態においてスライド
用スイッチ２７ａが押下された時、スライド用スイッチ２７ａに設けられた指紋検出手段
２７ａ１が指の指紋を検出し、制御部９が、指紋検出手段２７ａ１が検出した指紋と、予
め記憶部７の指紋ＤＢ７１に記憶された正規ユーザの指紋との照合を行い、これらが一致
した場合にのみ、制御部９はスライド機構３ａのロック機構３４ａのロックを解除するの
で、正規ユーザ以外の人間の指がスライド用スイッチ２７ａを押下した場合にはロック機
構３４ａのロックが解除されず、正規ユーザ以外の人間には開状態にされることがないた
め、正規ユーザのセキュリティを好適に保持することができる。
【０１１８】
なお、上述した第２実施形態では、制御部９は、指紋検出手段２７ａ１が検出した指紋
を使用した指紋認証の結果をロック機構３４ａのロックを解除するか否かのみに使用して
いるが、これ以外に適用してもよい。すなわち、例えば制御部９が携帯端末１０１の他の
機能（音声通話、メール送受信等）の起動時に指紋認証を行い、認証に成功しない場合は
その機能を起動させないようにしてもよい。
【０１１９】
なお、本第２実施形態においては、陥没部２６の数を特に限定していないが、第１実施
形態と同様、陥没部の数は何個でもよい。また、その位置も第１実施形態と同様、本体２
の側面２３の上面２３１と裏面２２との境界線上のどこに設けられてもよい。
【０１２０】
本発明は上述した実施形態には限定されない。
【０１２１】
すなわち、本発明の実施に際しては、本発明の技術的範囲またはその均等の範囲内にお
いて、上述した実施形態の構成要素に関し様々な変更、コンビネーション、サブコンビネ
ーション、並びに代替を行ってもよい。
【０１２２】
上述した実施形態では、スライド機構３（３ａ）はロック機構３４（３４ａ）のロック
が解除された場合に、弾性材３３の弾性作用により蓋体１を本体２に対してスライドさせ
ていたが、本発明はこれには限定されない。すなわち、例えばスライド機構３（３ａ）が
、弾性材３３の代わりに、モータ等の機械的な機構により蓋体１を本体２に対してスライ
ドさせるようにしてもよい。この場合には、蓋体１のスライド時に弾性材による反動が生
じないが、陥没部２６を本体２の上面２３１にも受けることによるホールド性の向上とい
う効果を得ることはできる。
【図面の簡単な説明】
【０１２３】
【図１】図１は、第１実施形態の携帯端末の外部構成の一例を示す斜視分解図である。
【図２】図２は、第１実施形態の携帯端末の蓋体を裏面から見た図である。
【図３】図３は、第１実施形態の携帯端末の陥没部の形成例を示す図である。
【図４】図４は、第１実施形態の携帯端末の本体が内包するスライド機構を示す図である。
【図５】図５は、第１実施形態の携帯端末の閉じた状態を示した図である。
【図６】図６は、第１実施形態の携帯端末の開いた状態を示した図である。
【図７】図７は、第１実施形態の携帯端末を閉状態から開状態へと遷移させるための操作の一例を示す図である。
【図８】図８は、第２実施形態における携帯端末の外部構成の一例を示す斜視分解図である。
【図９】図９は、第２実施形態の携帯端末の本体が内包するスライド機構の構成の一例を示す図である。
【図１０】図１０は、第２実施形態の携帯端末の内部構成の一例を示すブロック図である。
【図１１】図１１は、第２実施形態の制御部の指紋認証処理について説明するためのフローチャートである。
【図１２】図１２は、第１実施形態の変形例であって、携帯端末を閉状態から開状態へと遷移させる際の、携帯端末とユーザの爪部との位置関係の一例を示す図である。
【符号の説明】
【０１２４】
１００，１０１，１０２…携帯端末、１…蓋体（第１の筐体）、１１…表面（第１の筐体の表面）、１２…裏面（第１の筐体の裏面）、１３…側面（第１の筐体の側面）、１４…ＬＣＤ、１５…キー操作部、１６…ガイド部材、１７…孔、２…本体（第２の筐体）、２１…表面（第２の筐体の表面）、２２…裏面（第２の筐体の裏面）、２３…側面（第２の筐体の側面）、２４…ピン、２５…スリット、２６…陥没部、２７，２７ａ…スライド用スイッチ（解除手段）、２７ａ１…指紋検出手段、２８…溝部、２９…主操作部、３，３ａ…スライド機構、３１…可動部、３２…ガイド孔、３３…弾性材、３４，３４ａ…ロック機構、４８…引っ掛り防止溝部、４…指、４０…ユーザの爪部、５…通信部、６…表示部、７…記憶部、７１…指紋ＤＢ（データベース）、８…入力部、９…制御部、２３１…上面（第２の筐体の上面）。
【図１】
2009060572.tif 000003
【図２】
2009060572.tif 000004
【図３】
2009060572.tif 000005
【図４】
2009060572.tif 000006
【図５】
2009060572.tif 000007
【図６】
2009060572.tif 000008
【図７】
2009060572.tif 000009
【図８】
2009060572.tif 000010
【図９】
2009060572.tif 000011
【図１０】
2009060572.tif 000012
【図１１】
2009060572.tif 000013
【図１２】
2009060572.tif 000014